(57)【要約】溶接ワイヤが被溶接物と短絡する短絡期間とアークが発生してアーク放電するアーク期間とを交互に繰り返して前記被溶接物の溶接を行う溶接制御方法であって、溶接中に算出された溶接電圧の平均である平均出力電圧と予め設定された設定電圧とを比較し、平均出力電圧と予め設定された設定電圧との比較結果に基づいて、アーク発生時の溶接出力電流を制御することで、アーク長が長くまたは短くなる等の外乱発生時に、ワイヤの溶融量を調整してアーク長を調整して短絡周期を一定に近づける。
2010119634.tif 000002
【特許請求の範囲】
【請求項１】
溶接ワイヤが被溶接物と短絡する短絡期間とアークが発生してアーク放電するアーク期間とを交互に繰り返して前記被溶接物の溶接を行う溶接制御方法であって、溶接中に算出された溶接電圧の平均である平均出力電圧と予め設定された設定電圧とを比較し、前記平均出力電圧と前記予め設定された設定電圧との比較結果に基づいて、前記アーク発生時の溶接出力電流を制御するアーク溶接制御方法。
【請求項２】
前記平均出力電圧と前記予め設定された設定電圧との比較結果が、前記平均出力電圧が前記設定電圧より大きい場合には、前記アーク発生時の溶接出力電流が、前記平均出力電圧と前記設定電圧との差に基づいた、予め設定された所定の電流値よりも小さい前記溶接出力電流となるように制御し、前記平均出力電圧が前記設定電圧より小さい場合には、前記アーク発生時の前記溶接出力電流が、前記平均出力電圧と前記設定電圧との前記差に基づいた、前記所定の電流値よりも大きい前記溶接出力電流となるように制御する請求項１記載のアーク溶接制御方法。
【請求項３】
前記平均出力電圧が前記設定電圧より大きい場合には、前記所定の電流値に前記平均出力電圧と前記設定電圧との前記差に基づいた１より小さい倍率を乗算して前記アーク発生時の前記溶接出力電流を算出し、前記平均出力電圧が前記設定電圧より小さい場合には、前記所定の電流値に前記平均出力電圧と前記設定電圧との前記差に基づいた１より大きい倍率を乗算して前記アーク発生時の前記溶接出力電流を算出する請求項２記載のアーク溶接制御方法。
【請求項４】
前記アーク発生直前に前記溶接出力電流を低下して前記短絡を開放する請求項１記載のアーク溶接制御方法。
【請求項５】
溶接ワイヤが被溶接物と短絡する短絡期間とアークが発生しアーク放電するアーク期間とを交互に繰り返して前記被溶接物を溶接するアーク溶接装置であって、溶接出力電流を検出する溶接電流検出部と、溶接出力電圧を検出する溶接電圧検出部と、溶接出力を制御するスイッチング素子と、溶接状態が前記短絡期間か前記アーク期間かを判別する短絡アーク判定部と、前記短絡期間の電流または電圧のうちの少なくとも１つ、および前記アーク期間の電流または電圧のうちの少なくとも１つ、および設定電圧、および所定の電流値を設定するための設定部と、前記アークの発生初期時の前記溶接出力電流を制御するアーク初期制御部と、前記短絡アーク判定部の出力に基づいて前記スイッチング素子を制御する駆動部と、前記短絡アーク判定部の出力を入力とし前記アーク発生時からの所定時間を計時して前記駆動部に出力する計時部と、前記溶接電圧検出部の検出結果に基づいて前記溶接電圧の平均である平均出力電圧を算出する平均電圧算出部と、前記設定部で設定された設定電圧と前記平均電圧算出部で算出された平均出力電圧を比較する電圧比較部とを備え、前記アーク初期制御部は、前記電圧比較部での比較結果に基づいて、前記アーク発生時の溶接出力電流を制御するアーク溶接制御装置。
【請求項６】
前記アーク初期制御部は、前記電圧比較部での比較結果が、前記平均出力電圧が前記設定電圧より大きい場合には、前記アーク発生時の溶接出力電流が、前記平均出力電圧と前記設定電圧との差に基づいた、予め設定された所定の電流値よりも小さい前記溶接出力電流となるように制御し、前記平均出力電圧が前記設定電圧より小さい場合には、前記アーク発生時の前記溶接出力電流が、前記平均出力電圧と前記設定電圧との前記差に基づいた、前記所定の電流値よりも大きい前記溶接出力電流となるように制御する請求項５記載のアーク溶接制御装置。
【請求項７】
前記アーク発生時の前記溶接出力電流を算出する溶接出力電流演算部をさらに備え、前記平均出力電圧が前記設定電圧より大きい場合には、前記所定の電流値に前記平均出力電圧と前記設定電圧との前記差に基づいた１より小さい倍率を乗算して前記アーク発生時の前記溶接出力電流を算出し、前記平均出力電圧が前記設定電圧より小さい場合には、前記所定の電流値に前記平均出力電圧と前記設定電圧との前記差に基づいた１より大きい倍率を乗算して前記アーク発生時の前記溶接出力電流を算出する請求項６記載のアーク溶接制御装置。
【発明の詳細な説明】
【技術分野】
【０００１】
本発明は、消耗電極である溶接用ワイヤと被溶接物である溶接母材との間にアークを発生させて溶接出力制御を行うアーク溶接制御方法およびアーク溶接制御装置に関するものである。
【背景技術】
【０００２】
近年、地球環境保護の観点から、自動車や二輪業界では、燃費向上を目的とした軽量化のために年々薄板化が進められている。このため、ロボットを用いて行う薄板のアーク溶接においては、生産性の向上や溶接品質の向上が期待されている。そして、溶接速度の高速化と、スパッタの低減や溶け落ちおよびアンダーカットなどの欠陥防止といった相反する課題の解決が求められている。なかでも、溶接速度の高速化は時間当たりの生産数を増加させる。また、ワーク間にギャップが生じている場合の溶け落ちを抑制することにより、被溶接物の歩留まりを高めて手直し工数を削減できる。そのため、市場から、これら課題の解決の要求が年々高まってきている。【０００３】
これらの要求に対し、従来から溶接速度の高速化やギャップ溶接に関しては種々提案されている。例えば、アーク再発生直後の溶接出力電流を、短絡開放直前の溶接電流よりも高め、これによりアークが再発生してから早期に溶滴を形成させ、短絡発生周期を短周期化して溶接電圧を低下させアーク長を短くすることが可能となっている（例えば、特許文献１参照）。これにより溶接速度を高速化して低入熱化することで、ギャップ溶接においても溶け落ちを抑制することができる。【０００４】
図４は上記した従来の出力制御方法で溶接した場合の溶接出力電圧・溶接出力電流波形を示す図である。図４は、横軸に経過時間、縦軸に溶接出力電圧・溶接出力電流を示している。図４において、短絡期間１０１は、ワイヤと母材とが短絡した状態である。アーク期間１０２は、ワイヤと母材との間でアークが発生している状態である。アーク再発生時点１０３において、短絡が開放しアークが再発生する。短絡開放の直前では、短絡開放直前電流１０４ａが流れている。また、アーク期間１０２では、アーク初期電流１０５ａが初期制御期間１０６の間流れる。【０００５】
次に、図４で示す電流波形について、時間の経過ごとの制御方法と関連させて説明する。アークが再発生してから、低い溶接出力電流を急峻に高めてアーク初期電流１０５ａとする。初期制御期間１０６の期間は定電流を出力し、その後アーク制御（電圧制御）により徐々に溶接電流値が減少するよう制御する。アーク初期電流１０５ａは、図に示すように、短絡開放直前電流１０４ａに対して重畳電流値１０７を加算した値に制御され、これによりワイヤ先端での溶滴の早期形成を可能にする。すなわち、アーク初期電流１０５ａは、短絡開放直前電流１０４ａよりも必ず高くなるように制御される。【０００６】
これにより、アークが再発生してから早期に溶滴を形成させることができ、短絡発生周期を短周期化し、溶接電圧を低下させてアーク長を短くすることが可能である。従って、溶接速度を高速度化して入熱を低下させることができ、ギャップ溶接においても溶け落ちを抑制することができる。【０００７】
しかし、上記した従来の出力制御方法では、外乱等によりアーク長が適正な距離よりも長くなると、図５に示すようにアーク期間１０２が長くなる。そのため、図４に示す溶接状態より短絡発生周期が長くなり、溶接出力電圧の平均値が高くなる。この場合、ワイヤの溶融量が多くなるので、次の短絡時間は長くなり、図５に示すように短絡開放直前の電流値１０４ｂは前回の短絡開放直前の電流値１０４ａより高くなる。また、アーク初期電流１０５ｂも、前回のアーク初期電流１０５ａよりも高くなる。【０００８】
溶接出力電圧の平均値が高くなるので、出力電圧を低下させる必要がある。しかし、アーク初期電流１０５ｂは、前回のアーク初期電流１０５ａよりも高めるように制御するので、溶接出力電圧を高める制御となっている。つまり、溶融量を抑制してアーク長を短くして短絡周期を早めることができない制御となっている。【０００９】
このため、突出し長さやアーク長が長くなる等の外乱発生時に、ワイヤの溶融量が多くなり、アーク期間が長くなり、ビード幅が不均一になるという課題を有していた。また、入熱を低下できないため、ギャップ溶接時に溶け落ち等が発生するという課題を有していた。
【先行技術文献】
【特許文献】
【００１０】
【特許文献１】特開２００６−０２１２２７号公報
【発明の概要】
【００１１】
本発明は、突出し長さやアーク長が長くなる場合等の外乱発生時に、ワイヤの溶融量を抑制してアーク長を短くして短絡周期を早めることを可能とするアーク溶接制御方法及びアーク溶接装置を提供するものである。
【００１２】
本発明のアーク溶接制御方法は、溶接ワイヤが被溶接物と短絡する短絡期間とアークが発生してアーク放電するアーク期間とを交互に繰り返して被溶接物の溶接を行う溶接制御方法であって、溶接中に算出された溶接電圧の平均である平均出力電圧と予め設定された設定電圧とを比較し、平均出力電圧と予め設定された設定電圧との比較結果に基づいて、アーク発生時の溶接出力電流を制御する構成を有する。
【００１３】
本発明のアーク溶接制御装置は、溶接ワイヤが被溶接物と短絡する短絡期間とアークが発生しアーク放電するアーク期間とを交互に繰り返して被溶接物を溶接するアーク溶接装置であって、溶接出力電流を検出する溶接電流検出部と、溶接出力電圧を検出する溶接電圧検出部と、溶接出力を制御するスイッチング素子と、溶接状態が短絡期間かアーク期間かを判別する短絡アーク判定部と、短絡期間の電流または電圧のうちの少なくとも１つ、およびアーク期間の電流または電圧のうちの少なくとも１つ、および設定電圧、および所定の電流値を設定するための設定部と、前記溶接電流検出部および前記溶接電圧検出部および前記設定部の各出力を入力としアークの発生初期時の溶接出力電流を制御するアーク初期制御部と、短絡アーク判定部の出力に基づいてスイッチング素子を制御する駆動部と、短絡アーク判定部の出力を入力としアーク発生時からの所定時間を計時して駆動部に出力する計時部と、溶接電圧検出部の検出結果に基づいて溶接電圧の平均である平均出力電圧を算出する平均電圧算出部と、設定部で設定された設定電圧と平均電圧算出部で算出された平均出力電圧を比較する電圧比較部とを備え、アーク初期制御部は、電圧比較部での比較結果に基づいて、アーク発生時の溶接出力電流を制御する構成を有する。
【００１４】
かかる構成によれば、設定電圧と平均出力電圧との差に基づいてアーク再発生時の溶接出力電流を決定することにより、アーク長が長くなる場合、または、短くなる場合等の外乱時に、ワイヤの溶融量を調整してアーク長を調整し、短絡周期を一定に近づけて低入熱化を可能とする。これにより、ビード幅の均一化やギャップ溶接時の溶け落ち発生を抑制することができる。よって、外乱発生時及びギャップ溶接に対して適応範囲を広げることができる。
【図面の簡単な説明】
【００１５】
【図１】図１は、本発明の一実施の形態におけるアーク溶接装置の概略構成を示す図である。
【図２】図２は、同実施の形態のアーク溶接装置におけるアーク長が通常溶接時よりも長くなった場合の溶接出力電圧波形と溶接出力電流波形を示す図である。
【図３】図３は、同実施の形態のアーク溶接装置におけるアーク長が通常溶接時よりも短くなった場合の溶接出力電圧波形と溶接出力電流波形を示す図である。
【図４】図４は、従来のアーク溶接装置における通常溶接時の溶接出力電圧波形と溶接出力電流波形を示す図である。
【図５】図５は、従来のアーク溶接装置におけるアーク長が通常溶接時よりも伸長した場合の溶接出力電圧波形と溶接出力電流波形を示す図である。
【発明を実施するための形態】
【００１６】
（実施の形態）
本実施の形態は、溶接ワイヤが被溶接物と短絡する短絡期間とアークが発生してアーク放電するアーク期間とを交互に繰り返して被溶接物の溶接を行う。短絡期間中にアークの発生を予知してアーク発生直前に溶接出力電流を低下して短絡を開放するものである。
【００１７】
図１から図３を用いて本実施の形態のアーク溶接装置と制御方法について説明する。図１は本実施の形態のアーク溶接装置の概略構成を示す図である。図２は、本実施の形態において、外乱等によりアーク長が通常溶接時の適正な長さよりも長くなりアーク期間が通常溶接時よりも長くなった場合の溶接出力電圧・溶接出力電流波形を示す図である。図３は、本実施の形態において、外乱等によりアーク長が通常溶接時の適正な長さよりも短くなり、アーク期間が通常溶接時よりも短くなった場合の溶接出力電圧・溶接出力電流波形を示す図である。
【００１８】
図１において、商用電源１から入力される交流電力は１次整流部２で整流され、溶接出力を制御するスイッチング素子３により交流に変換される。スイッチング素子３の出力電圧は、商用電源１と絶縁してトランス４で降圧され、トランス４の２次側出力に接続された２次整流部５で整流され、リアクタ６を通して溶接出力を得る。この溶接出力が、図示しない溶接ワイヤと被溶接物との間に印加される。
【００１９】
さらに、本実施の形態のアーク溶接装置は、直流出力端子と直列に挿入され、溶接出力電流を検出する溶接電流検出部１１と、直流出力端子の両端間に接続され、溶接出力電圧を検出する溶接電圧検出部１０と、溶接状態が短絡期間かアーク期間かを判別する短絡アーク判定部とを備えている。さらに、本実施の形態のアーク溶接装置は、溶接電流を得るための設定電流、溶接電圧を得るための設定電圧、溶接ワイヤの送給速度、アーク溶接時のシールドガスの種類、ワイヤの種類、ワイヤの径、パルス制御の有無やクレータ処理の有無などの溶接の方法、および本実施の形態で必要な所定の電流値などを設定する設定部９を備えている。設定部９は、溶接電圧検出部１０および溶接電流検出部１１の出力を入力とする。設定部９では上記各種の設定条件を入力することにより、溶接に必要な種々のパラメータが設定される。このように、設定部９では、短絡期間の電流または電圧のうちの少なくとも１つ、およびアーク期間の電流または電圧のうちの少なくとも１つ、および設定電圧、および所定の電流値が設定される。
【００２０】
さらに、本実施の形態のアーク溶接装置は、溶接電流検出部１１と溶接電圧検出部１０と設定部９の出力を入力としアーク再発生初期時の溶接出力電流を設定して出力するアーク初期制御部１２を備えている。さらに、本実施の形態のアーク溶接装置は、短絡アーク判定部７の出力に基づいてスイッチング素子３を制御する駆動部８と、短絡アーク判定部７の出力を入力としアーク発生時からの所定時間を計時してアーク初期制御時間を設定して駆動部８に出力する計時部１５とを備えている。
【００２１】
さらに、本実施の形態のアーク溶接装置では、アーク再発生時から所定時間の間出力電流を制御するアーク初期制御部１２は、溶接電圧検出部１０と溶接電流検出部１１と設定部９の出力を入力とし、駆動部８に出力する。アーク初期制御部１２で制御する所定時間以降のアーク期間において出力電圧を制御するアーク制御部１３は、溶接電圧検出部１０と溶接電流検出部１１と一定値もしくは下降電圧直線もしくは下降電圧曲線としてアーク期間の電圧を設定する設定部９の出力とを入力とし、駆動部８に出力する。ここではアーク期間を電圧制御にて説明したが、電圧制御の変わりに電流制御として、設定部９では電流を設定しても良い。短絡期間中に出力電流を制御する短絡制御部１４は、溶接電流検出部１１と直線または曲線の組み合わせの電流波形として電流を設定する設定部９の出力とを入力とし、駆動部８に出力する。ここでは短絡期間を電流制御にて説明したが、電流制御の変わりに電圧制御として、設定部９では電圧を設定しても良い。計時部１５は短絡アーク判定部７と設定部９の出力を入力としアーク発生時からの所定時間を計時してアーク初期制御時間を設定して駆動部８に出力する。
【００２２】
また、設定部９は溶接電圧検出部１０の検出結果に基づいて平均出力電圧を算出する平均電圧算出部９ａと、設定部９で設定された設定電圧と平均電圧算出部９ａで算出された平均出力電圧を比較する電圧比較部９ｂとを有する。アーク初期制御部１２は、電圧比較部９ｂでの比較結果に基づいてアーク発生時の溶接出力電流を演算して決定する溶接出力電流演算部１２ａを有し、アーク再発生時から所定時間の間は溶接出力電流演算部１２ａで決定した溶接出力電流となるように駆動部８を制御する。
【００２３】
すなわち、電圧比較部９ｂでの比較の結果、平均出力電圧が設定電圧より大きい場合には、アーク初期制御部１２の溶接出力電流演算部１２ａは、予め設定された所定の電流値に平均出力電圧と設定電圧との差に基づいた１より小さい倍率を乗算してアーク発生時の溶接出力電流を算出する。アーク初期制御部１２は、計時部１５で設定したアーク初期制御時間の間、アーク発生時の溶接出力電流が所定の電流値よりも小さい算出した溶接出力電流となるように出力を制御する。また、電圧比較部９ｂでの比較の結果、平均出力電圧が設定電圧より小さい場合には、アーク初期制御部１２の溶接出力電流演算部１２ａは、予め設定された所定の電流値に平均出力電圧と設定電圧との差に基づいた１より大きい倍率を乗算してアーク発生時の溶接出力電流を算出する。アーク初期制御部１２は、計時部１５で設定したアーク初期制御時間の間、アーク発生時の溶接出力電流が所定の電流値よりも大きい算出した溶接出力電流となるように出力を制御する。
【００２４】
なお、平均出力電圧は、予め決められた所定時間における出力電圧の平均値であり、所定時間毎に計算されるものであり、溶接電圧検出部１０の出力に基づいて設定部９の平均電圧算出部９ａで計算される。
【００２５】
以上のように構成されたアーク溶接装置について、その動作を説明する。図２は、消耗電極式アーク溶接の短絡移行時の溶接出力電圧波形と溶接出力電流波形を示す図であり、横軸は経過時間、縦軸は溶接出力電圧ＶＬ、溶接出力電流ＩＬを示す。そして、図２は、アーク長が通常溶接時の適正な長さより長くなった場合の溶接電流波形ＩＬを示している。
【００２６】
図２において、溶接出力電流ＩＬは、ワイヤと母材が短絡している短絡期間１０１、ワイヤと母材との間でアークが発生しているアーク期間１０２、短絡が開放しアークが再発生するアーク再発生時点１０３、アーク長が適正な長さから伸張したタイミング１０８を有している。また、溶接出力電流ＩＬは、アーク再発生時点１０３の前および短絡期間１０１の後の短絡開放直前には、短絡開放直前電流値１０４ａ、１０４ｂの値となる。溶接出力電圧ＶＬの波形は、溶接出力電流ＩＬの波形に応じて図に示すように変化する。
【００２７】
本実施の形態では、まず、図２に示すアーク再発生時点１０３において、その時点を起点とし計時部１５で初期制御時間１０６を設定する。アーク初期制御部１２でこのアーク初期制御時間１０６における溶接出力電流ＩＬを制御し、アーク初期電流値１０５ａとなるようにする。なお、初期制御時間１０６は、実験等により予め求めておく。
【００２８】
アーク初期制御時間１０６の後のアーク期間１０２では、アーク制御部１３により出力電圧ＶＬが制御される。手振れや被溶接物の位置ずれ等の外乱によりタイミング１０８でアーク長が適正な長さよりも長くなった場合、図２に示すようにアーク長が適正な長さである場合よりもアーク期間１０２が長くなり、短絡の発生が遅れ、平均出力電圧が高くなる。短絡発生が遅れると、ワイヤ溶融が促進されるので、溶融されたワイヤ先端の溶滴が母材に移行するための時間を要するので次の短絡時間が長くなる。したがって、短絡開放直前電流値１０４ｂは前回の短絡開放直前電流値１０４ａより高くなる。
【００２９】
ここで、短絡発生が遅れ、平均出力電圧が高くなり、平均出力電圧が設定電圧より高くなった場合における本実施の形態の制御について説明する。
【００３０】
設定部９の出力に基づいて、アーク初期制御部１２の溶接出力電流演算部１２ａでは、設定電圧と平均出力電圧との差に応じた１より小さい所定の倍率（係数）を、設定部９に予め設定された所定の電流値Ｉに乗算して、所定の電流値よりも小さいアーク初期電流１０５ｄを求める。これにより、アーク初期制御部１２は、所定の電流値Ｉよりも小さいアーク初期電流１０５ｄが初期制御時間１０６の間流れるように電流制御を行う。
【００３１】
なお、所定の電流値Ｉはアーク長が適正な長さの場合のアーク初期電流値であって、アーク再発生直後に必要充分なアーク長を確保することのできる電流値である。この電流値は、設定電流、設定電圧、ワイヤ送給速度、シールドガス種類、ワイヤ種類、ワイヤ径、溶接法などによって異なり、種々の実験や設定部９などで求められる。アーク初期電流１０５ｄは、設定電圧と平均出力電圧の差に応じて制御されるので、短絡開放直前の電流である短絡開放直前電流１０４ｂには関係しない。
【００３２】
また、従来の制御では図５に示すように短絡開放直前電流１０４ｂよりも必ず高めていたアーク初期電流１０５ｂを、本実施の形態では、短絡発生が遅れ、平均出力電圧が高くなり、平均出力電圧が設定電圧より高くなった場合には、図２に示すように短絡開放直前電流１０４ｂよりも低いアーク初期電流１０５ｄに低減する。これにより、アーク期間１０２におけるアーク初期電流１０５ｄ以降の期間の溶接出力も低めることができるので、早期に平均出力電圧が設定電圧となるようにすることができる。
【００３３】
従って、突出し長さやアーク長が長くなる場合等の外乱発生時に、ワイヤの溶融量を抑制してアーク長を短くし、短絡周期を早めて低入熱化を可能とすることができる。そして、ビード幅を均一化し、また、ギャップ溶接時の溶け落ち発生を抑制し、外乱発生時及びギャップ溶接に対して適応範囲を広げることができる。
【００３４】
上記では、外乱等によりアーク長が適正長さより長くなり、アーク期間１０２が長くなった場合の制御について説明した。次に、アーク長が適正な長さより短くなり、アーク期間が短くなった場合の制御について図３を用いて説明する。図３は、本実施の形態のアーク溶接装置におけるアーク長が通常溶接時の適正な長さよりも短くなった場合の溶接出力電圧波形ＶＳ、溶接出力電流波形ＩＳを示す図である。図３は、タイミング１０９でアーク長が適正な長さより短くなり、アーク期間１０２が短くなった場合を示している。図３は、図２と同様に、横軸は経過時間、縦軸は溶接出力電圧ＶＳ、溶接出力電流ＩＳを示している。図２と同じ構成には同じ符号を用いて説明は省略する。
【００３５】
タイミング１０９でアーク長が短くなった場合、図３に示すように、アーク期間１０２が短くなり、短絡の発生が早まり、平均出力電圧が低くなる。短絡発生が早まると、ワイヤ先端の溶融部が小さい状態で短絡が発生するため、ワイヤ先端の溶滴が母材に移行するまでの時間は短くなる。そのため、次の短絡時間が短くなる。従って、図３に示すように、短絡開放直前の電流値である短絡開放直前電流値１０４ｄは前回の短絡開放直前電流値１０４ａより低くなる。
【００３６】
ここで、短絡発生が早まり、平均出力電圧が低下し、平均出力電圧が設定電圧より低くなった場合における本実施の形態の制御について説明する。設定部９の出力に基づいて、アーク初期制御部１２の溶接出力電流演算部１２ａでは、設定電圧と平均出力電圧との差に応じた１より大きい所定の倍率（係数）を、設定部９で予め設定された所定の電流値Ｉに乗算して所定の電流値よりも大きいアーク初期電流１０５ｅを求める。これにより、アーク初期制御部１２は、所定の電流値Ｉよりも大きいアーク初期電流１０５ｅが初期制御時間１０６の間流れるように電流制御を行う。
【００３７】
なお、上記した所定の電流値Ｉは、図２においてアーク長が適正な長さよりも長くなり、短絡の発生が遅れ、平均出力電圧が高くなり、平均出力電圧が設定電圧より高くなった場合における制御として説明した所定の電流値Ｉと同じものである。
【００３８】
ところで、上記した所定の倍率の一例として、軟鋼ワイヤでワイヤ径１．２ｍｍのＭＡＧ溶接で１５０Ａの溶接時に、設定電圧１６．８Ｖに対して平均出力電圧の差が＋１Ｖの場合は０．９５、−１Ｖの場合は１．０５とする。この時、予め設定された所定の電流値Ｉの一例である２００Ａに対してアーク初期電流１０５ｄは１９０Ａ、１０５ｅは２１０Ａとなる。
【００３９】
また、これらの倍率やアーク初期電流１０５ｄ、１０５ｅの予め設定された所定値は、設定部９に入力設定される設定電流、設定電圧、ワイヤ送給速度、シールドガス種類、ワイヤ種類、ワイヤ径、および溶接法などのうち少なくとも１つに基づいて設定部９において設定される。
【００４０】
また、本実施の形態では、平均出力電圧と設定電圧が等しい場合には、短絡開放直後の電流は、所定の電流値Ｉとなるように制御される。
【００４１】
また、平均出力電圧は所定の時間Ｔ毎に繰り返し算出されているが、設定電圧と比較される平均出力電圧は、アーク初期制御部１２が電流制御を行うタイミングで算出されている直前の値、すなわち、算出されている最新のものである。
【００４２】
なお、本発明は、パルス溶接時の短絡後の制御として用いても良い。
【産業上の利用可能性】
【００４３】
本発明は、アーク長が変化する外乱発生時及びギャップ溶接に対して適応範囲を拡大でき溶接作業の生産性を向上することができるので、主に短絡を生じる溶接におけるアーク溶接制御方法及びアーク溶接装置として産業上有用である。
【符号の説明】
【００４４】
１    商用電源
２    １次整流部
３    スイッチング素子
４    トランス
５    ２次整流部
６    リアクタ
７    短絡アーク判定部
８    駆動部
９    設定部
９ａ    平均電圧算出部
９ｂ    電圧比較部
１０    溶接電圧検出部
１１    溶接電流検出部
１２    アーク初期制御部
１２ａ    溶接出力電流演算部
１３    アーク制御部
１４    短絡制御部
１５    計時部
【図１】
2010119634.tif 000003
【図２】
2010119634.tif 000004
【図３】
2010119634.tif 000005
【図４】
2010119634.tif 000006
【図５】
2010119634.tif 000007
【国際調査報告】
2010119634.tif 000008
2010119634.tif 000009
2010119634.tif 000010
2010119634.tif 000011
2010119634.tif 000012
2010119634.tif 000013
2010119634.tif 000014